(57)【要約】【課題】  被吊上げ物の係合溝部との位置合わせが容易で、簡単に被吊上げ物を把持して吊上げることのできる吊上げ治具を提供する。【解決手段】  被吊上げ物４０を把持する際に、一対の挟持アーム１２、１２の各挟持部１１、１１の各係合爪部６、６が、従来のように、円弧状の軌跡を画くように回動運動をすることなく、略水平方向に略直線的に移動して被吊上げ物４０の各係合溝部４１、４１に係合するので、一対の挟持部１１、１１の各係合爪部６、６が、被吊上げ物４０の各係合孔４３、４３周りの壁部４２、４２等に干渉することなく、各係合爪部６、６を容易に各係合溝部４１、４１に係合させることができる。【選択図】        図３
2006312530.tif 000002
【特許請求の範囲】
【請求項１】
吊持体と、一対のリンクアームと、挟持部と拘束部とが屈曲部を介して略Ｌ字形状に形成され、前記挟持部を対向させると共に、前記拘束部を重ね合わせて配置した一対の挟持アームと、からなり、
前記吊持体の下端に、各リンクアームの一端が回動自在に連結され、前記各リンクアームの他端のそれぞれが、前記各挟持アームの前記各屈曲部に各連結ピンで回動自在に連結されると共に、該各連結ピンは、前記各屈曲部と重なった状態で配置された前記各拘束部に設けた横長の各ガイド孔に略水平方向に移動自在に挿通されることを特徴とする吊上げ治具。
【請求項２】
前記一対の挟持アームを、被吊上げ物を挟持する位置でロックするロック手段を備えたことを特徴とする請求項１に記載の吊上げ治具。
【発明の詳細な説明】
【技術分野】
【０００１】
本発明は、被吊上げ物を把持して吊上げる吊上げ治具に関するものである。
【背景技術】
【０００２】
一般的に、被吊上げ物を把持して吊上げる吊上げ治具は、複数のアームがパンタグラフ状に連結されて、上下方向に伸縮させることにより、一対の把持アームを支点を中心に開閉方向に回動させて、被吊上げ物を把持して吊上げる構成となっている。
すなわち、従来の吊上げ治具５０は、図５に示すように、持ち上げる際に使用する吊持孔１ａを有する吊持体１が設けられ、該吊持体１の下端の両面に、略直線状に延びる各リンクアーム２、２が回動自在に連結されている。これらのリンクアーム２、２は、吊持体１の下端から鈍角をなすように開いた状態で、それぞれの下端に、略く字形状の各把持アーム３、３の上端が回動自在に連結されている。これらの把持アーム３、３は、互いに支点４の位置で交差しており、この支点４を介して相互に回動自在に連結されている。
また、各把持アーム３、３の屈曲位置から下方に位置する一対の把持アーム部３ａ、３ａには、被吊上げ物４０の両側面に当接される側に、略矩形状の押当て板５、５がそれぞれ溶着されている。これら押当て板５、５の下端には、対向するように係合爪部６、６がそれぞれ突設されている。
【０００３】
そして、被吊上げ物４０を吊上げる際には、吊持体１を下方に移動させながら、各把持アーム３、３を支点４を中心に開く方向に回動させ、一対の把持アーム部３ａ、３ａ間に被吊上げ物４０を配置する。
次に、吊持体１を持ち上げながら、一対の把持アーム部３ａ、３ａを支点４を中心に閉じる方向に回動させて、一対の把持アーム部３ａ、３ａの下端に設けた各係合爪部６、６を、被吊上げ物４０の各係合溝部４１、４１に係合させると共に、一対の把持アーム部３ａ、３ａを、各押当て板５、５を介して、被吊上げ物４０の両側面に当接させるようにして把持し、吊上げるようにしている。
【０００４】
また、従来の吊上げ治具として特許文献１には、建築用ブロック掴持具が開示されている。
すなわち、この特許文献１の建築用ブロック掴持具は、一対の挟持アーム材の上下に連絡腕を掛け渡して、上側の連絡腕は、その中央で把手杆の略中間に設けた長孔内を摺動自在に移動可能なピンにより上下動自在に取り付けられると共に、下側の連絡腕は、その中央付近で分割されており、各分割連絡腕が把手杆の下部にピンを支点に回動自在に取り付けられ、さらに、上下の各ピン間にコイルバネが配されて構成されている。そして、上側の連結腕を上側のピンと共にコイルバネの付勢力に抗して上方に移動させれば、一対の挟持アーム材が上昇すると共に、下側の各分割連結腕が下側のピンを支点に近接する方向に回動すると共に、一対の挟持アーム材の下端に設けた各突起が近接する方向に回動して、一対の挟持アーム材の各突起が建築用ブロックの両側面を掴持するようにしている。
【特許文献１】実開昭５５−１７０１４号公報
【発明の開示】
【発明が解決しようとする課題】
【０００５】
しかしながら、上述した図５に示す従来の吊上げ治具５０では、一対の把持アーム部３ａ、３ａの下端の各係合爪部６、６を、被吊上げ物４０の各係合溝部４１、４１に係合させる際、一対の把持アーム部３ａ、３ａが支点４を中心に回動（２点鎖線で示す位置から実線で示す位置に回動）すると共に、各係合爪部６、６が円弧状の軌跡を画き、その上下方向の位置が大きく変化するために、特に、被吊上げ物４０の各係合溝部４１、４１が各係合孔４３、４３内に設けられている場合には、一対の把持アーム部３ａ、３ａの各係合爪部６、６が、各係合孔４３、４３周りの壁部４２、４２に干渉して、被吊上げ物４０の各係合溝部４１、４１に係合し難くなり、その位置合わせが非常に面倒になっている。
【０００６】
また、特許文献１の発明においても、建設用ブロックの両側面を掴持する際、一対の挟持アーム材が上昇すると共に、下端に設けた各突起が閉じるように回動して、各突起の上下方向の位置が大きく変化するために、例えば、一対の挟持アーム材の各突起を被吊上げ物の各係合溝部に係合させる場合、上述した課題と同様に、その位置合わせが非常に面倒になる虞がある。
【０００７】
本発明は、かかる点に鑑みてなされたものであり、被吊上げ物の各係合溝部との位置合わせが容易で、簡単に被吊上げ物を把持して吊上げることのできる吊上げ治具を提供することを目的とする。
【課題を解決するための手段】
【０００８】
本発明は、上記課題を解決するための手段として、請求項１に記載した吊上げ治具の発明は、吊持体と、一対のリンクアームと、挟持部と拘束部とが屈曲部を介して略Ｌ字形状に形成され、前記挟持部を対向させると共に、前記拘束部を重ね合わせて配置した一対の挟持アームと、からなり、前記吊持体の下端に、各リンクアームの一端が回動自在に連結され、前記各リンクアームの他端のそれぞれが、前記各挟持アームの前記各屈曲部に各連結ピンで回動自在に連結されると共に、該各連結ピンは、前記各屈曲部と重なった状態で配置された前記各拘束部に設けた横長の各ガイド孔に略水平方向に移動自在に挿通されることを特徴とするものである。
請求項２に記載した吊上げ治具の発明は、請求項１に記載した発明において、前記一対の挟持アームを、被吊上げ物を挟持する位置でロックするロック手段を備えたことを特徴とするものである。
【０００９】
従って、請求項１に記載した吊上げ治具の発明では、吊持体を持ち上げると、各リンクアームが起立する方向に回動されると共に、各連結ピンが各拘束部の各ガイド孔に沿って近接する方向に移動すると共に、一対の挟持アームの各挟持部が互いに近接する方向に略水平方向に移動して、該一対の挟持部によって被吊上げ物が挟持される。
つまり、吊持体を持ち上げても、一対の挟持アームは、各連結ピンが各拘束部の各ガイド孔に挿通されていることにより、上下方向の移動が規制された状態で、略水平方向に移動するために、例えば、一対の挟持部の下端にそれぞれ係合爪部が設けられている場合、各係合爪部は、円弧状の軌跡を画くように回動運動することなく、その上下方向の位置がほとんど変化することはない。
請求項２に記載した吊上げ治具の発明では、吊持体を持ち上げた状態を維持しなくても、被吊上げ物を挟持する状態が維持される。
【発明の効果】
【００１０】
本発明によれば、被吊上げ物の各係合溝部との位置合わせが容易で、簡単に被吊上げ物を把持して吊上げることのできる吊上げ治具を提供することができる。
【発明を実施するための最良の形態】
【００１１】
以下、本発明を実施するための最良の形態を図１〜図４に基いて詳細に説明する。従来例と同一部材は、同一の符号を使用して説明する。
本発明の実施の形態に係る吊上げ治具１０は、図１及び図２に示すように、持ち上げる際に使用される吊持孔１ａを有する吊持体１と、一対のリンクアーム２、２と、挟持部１１と拘束部１３とが屈曲部１４を介して略Ｌ字形状に形成され、各挟持部１１、１１を対向させると共に、各拘束部１３、１３を重ね合わせて配置した一対の挟持アーム１２、１２とを備えている。
【００１２】
吊持体１は、図１及び図２に示すように、所定幅を有する板状に形成されており、その上端には、持ち上げる際に使用される吊持孔１ａが形成されている。この吊持体１の下端の両側面には、第２連結ピン１６を介して各リンクアーム２、２の上端が回動自在に連結されている。各リンクアーム２、２は、吊持体１の下端から鈍角をなすように下方にそれぞれ延びている。
【００１３】
挟持アーム１２は、図１及び図２に示すように、略鉛直方向に延びる挟持部１１と、該挟持部１１の上端から屈曲部１４を介して略水平方向に延びる拘束部１３とからなる略Ｌ字形状に形成されている。拘束部１３の先端部には、横長のガイド孔２１が形成されている。また、挟持部１１の拘束部１３が延設される側の面には、その略全高に亘って、略矩形状の押当て板５が溶着されている。これらの押当て板５の下端には、係合爪部６が拘束部１３が延設される側に突設されている。
【００１４】
そして、上述した構成からなる挟持アーム１２、１２が以下のように一対配置される。すなわち、これらの挟持アーム１２、１２は、各拘束部１３、１３が各屈曲部１４、１４を含む略全長に亘って重ね合わされた状態で、吊持体１の下方で、各リンクアーム２、２の間に介装されると共に、各挟持部１１、１１が、所定の間隔を置いて対向するように配置される。
この対向する一対の挟持部１１、１１が、各押当て板５、５を介して被吊上げ物４０を両側面から挟持するようになる。
【００１５】
さらに、この配置において、各リンクアーム２、２の下端のそれぞれが、各挟持アーム１２、１２の各屈曲部１４、１４に、各第１連結ピン１５、１５によって回動自在に連結されるが、これらの第１連結ピン１５、１５は、各リンクアーム２、２の下端のそれぞれと、各挟持アーム１２、１２の各屈曲部１４、１４とを回動自在に連結し、各屈曲部１４、１４から突出した各連結ピン１５、１５の端部が、各屈曲部１４、１４と重なった状態で配置された各挟持アーム１２、１２の各拘束部１３、１３の先端部に設けたガイド孔２１、２１に挿通される。
【００１６】
このように構成されることにより、吊持体１を上下動させた際、各リンクアーム２、２の下端のそれぞれと各挟持アーム１２、１２の各屈曲部１４、１４とを回動自在に連結する各第１連結ピン１５、１５は、各挟持アーム１２、１２の各拘束部１３、１３に設けられた横長のガイド孔２１、２１内において、略上下方向の移動が規制されると共に、略水平方向の移動が許容され、各挟持アーム１２、１２が相対的に略水平方向に移動するようになる。
【００１７】
次に、本発明の実施の形態に係る吊上げ治具１０を使用して、被吊上げ物４０を把持して吊上げる手順を図３に基いて説明する。
まず、被吊上げ物４０を説明する。被吊上げ物４０には、図３に示すように、吊上げ治具１０により吊上げられる際に、一対の挟持部１１、１１が挿入される、底面を有する係合孔４３、４３が対向するように形成されている。これら係合孔４３、４３の下部には、被吊上げ物４０の中心に向って凹設された係合溝部４１、４１がそれぞれ形成されている。
【００１８】
そして、本吊上げ治具１０を使用して被吊上げ物４０を吊上げる際には、まず、一対の挟持部１１、１１を、その各係合爪部６、６が被吊上げ物４０の各係合孔４３、４３内に挿入できる位置まで開いた状態にする。
次に、一対の挟持部１１、１１を各係合爪部６、６と共に、被吊上げ物４０の各係合孔４３、４３内に挿入して、各挟持部１１、１１の下端を各係合孔４３、４３の底面に当接させる。
次に、吊持体１を持ち上げると、各リンクアーム２、２がそれぞれ起立方向に回動しつつ、各第１連結ピン１５、１５が、各挟持アーム１２、１２の各拘束部１３、１３に設けた各ガイド孔２１、２１に沿って近接する方向に移動すると共に、一対の挟持アーム１２、１２の各挟持部１１、１１が互いに近接する方向に移動（図３の２点鎖線で示す位置から実線で示す位置に移動）する。
そして、一対の挟持部１１、１１の下端に設けた各係合爪部６、６が、被吊上げ物４０に設けた各係合溝部４１、４１に係合されると共に、一対の挟持部１１、１１が、各押当て板５、５を介して被吊上げ物４０を両側面から挟持する状態となる。その後、さらに吊持体１を持ち上げれば、被吊上げ物４０を吊上げることができる。
ここで、図３に示す一対の挟持部１１、１１間の距離（最小値）は、図１に示す一対の挟持部１１、１１の距離（最大値）からガイド孔２１の長さ相当分を差し引いた距離となっている。
【００１９】
なお、図４に示す吊上げ治具１０は、図１〜図３に示す吊上げ治具１０にロック手段であるロックアーム２５、及びサポートアーム３０を付加した構成である。
このロックアーム２５は、各第１連結ピン１５と１５とを連結して、吊上げ治具１０が被吊上げ物４０から離脱しないようにロックするロック機能を有している。
すなわち、ロックアーム２５の一端部には、逆Ｌ字形状のロック孔２６が設けられており、一対の挟持部１１、１１により被吊上げ物４０を両側面から挟持しつつ、各挟持部１１、１１の各係合爪部６、６を被吊上げ物４０の各係合溝部４１、４１に係合させた状態を維持する際には、ロック孔２６内に挿通されている一方の第１連結ピン１５が、ロック孔２６の略鉛直方向に延びる鉛直ロック孔部２７内に挿通されるようにしておく。このようにしておけば、一対の挟持アーム１２、１２（一対の挟持部１１、１１）の外方への移動が規制されて、ロック状態となる。
また、ロック孔２６内に挿通されている一方の第１連結ピン１５が、ロック孔２６の略水平方向に延びる水平ロック孔部２８内に挿通されると、一対の挟持アーム１２、１２（一対の挟持部１１、１１）の外方への移動が可能となり、ロック状態が解除される。
【００２０】
また、サポートアーム３０は、一対の挟持部１１、１１のいずれか一方（図４では左側の挟持部１１）の外面から下方に延びるように構成されるものである。
このサポートアーム３０には、その下端に爪部３１が設けられており、この爪部３１を、被吊上げ物４０の底部周辺に引っ掛けることで、被吊上げ物４０の更なる落下防止として機能する。
【００２１】
以上説明したように、本発明の実施の形態に係る吊上げ治具１０によれば、一対の挟持部１１、１１を各係合爪部６、６と共に、被吊上げ物４０の各係合孔４３、４３に挿入して、吊持体１を持ち上げれば、一対の挟持アーム１２、１２の各挟持部１１、１１が互いに近接する方向に略水平方向に移動する。そして、一対の挟持部１１、１１の下端の各係合爪部６、６が、被吊上げ物４０の各係合溝部４１、４１に係合されると共に、一対の挟持部１１、１１が各押当て板５、５を介して被吊上げ物４０を両側面から挟持し、被吊上げ物４０が把持される。したがって、本吊上げ治具１０は、各係合孔４３、４３内に各係合溝部４１、４１を有する被吊上げ物４０を吊上げる際に、最も有効である。
【００２２】
つまり、本発明の実施の形態に係る吊上げ治具１０は、被吊上げ物４０を把持する際、一対の挟持部１１、１１の各係合爪部６、６が、従来の吊上げ治具５０のように、円弧状の軌跡を画くように回動運動をすることがなく、略水平方向に略直線的に移動し、その上下方向の位置がほとんど変化しないため、一対の挟持部１１、１１の各係合爪部６、６が、被吊上げ物４０の各係合孔４３、４３周りの壁部４２、４２に干渉することがなく、被吊上げ物４０の各係合溝部４１、４１に係合でき、各係合溝部４１、４１への位置合わせが容易となっている。
【００２３】
また、本発明の実施の形態に係る吊上げ治具１０では、一対の挟持アーム１２、１２の各挟持部１１、１１が略水平方向に移動して、各係合爪部６、６が、被吊上げ物４０の各係合溝部４１、４１に係合されるので、被吊上げ物４０の各係合溝部４１、４１間の距離が異なる被吊上げ物４０を把持する場合でも、その都度一対の挟持部１１、１１間の距離を調整しなくても良く、作業効率が向上する。
【図面の簡単な説明】
【００２４】
【図１】図１は、本発明の実施の形態に係る吊上げ治具の一対の挟持部が開いた状態を示す正面図である。
【図２】図２は、本発明の実施の形態に係る吊上げ治具の一対の挟持部が閉じた状態を示す正面図である。
【図３】図３は、本発明の実施の形態に係る吊上げ治具が被吊上げ物を把持した状態を示す正面図である。
【図４】図４は、本発明の実施の形態に係る吊上げ治具にロックプレート及びサポートアームを装着した状態を示す正面図である。
【図５】図５は、従来の吊上げ治具を示す正面図である。
【符号の説明】
【００２５】
１  吊持体、２  リンクアーム、１０  吊上げ治具、１１  挟持部、１２  挟持アーム、１３  拘束部、１５  第１連結ピン、２１  ガイド孔、２５  ロックアーム（ロック手段）、４０  被吊上げ物
【図１】
2006312530.tif 000003
【図２】
2006312530.tif 000004
【図３】
2006312530.tif 000005
【図４】
2006312530.tif 000006
【図５】
2006312530.tif 000007